(57)【要約】【課題】入れ替え制のように、複数の組をブロック単位で案内する順番管理に対応する。【解決手段】施設における順番待ちを管理する順番管理システムであって、施設における順番待ちを、複数の順番待ち組を含む順番待ちブロックの単位で管理し、各順番待ちブロックに含まれる順番待ち組のステータス情報を有する順番待ちリストを保持する記憶部と、順番待ちリストの更新情報の入力を受け付ける入力部と、更新情報に基づいて、順番待ちリストを更新する更新部とを備える。【選択図】図３
2017138657.tif 000002
【特許請求の範囲】
【請求項１】
施設における順番待ちを管理する順番管理システムであって、
前記施設における順番待ちを、複数の順番待ち組を含む順番待ちブロックの単位で管理し、各順番待ちブロックに含まれる順番待ち組のステータス情報を有する順番待ちリストを保持する記憶部と、
前記順番待ちリストの更新情報の入力を受け付ける入力部と、
前記更新情報に基づいて、前記順番待ちリストを更新する更新部と、を備えた順番管理システム。
【請求項２】
順番が到来した順番待ちブロックに含まれる各順番待ち組に対し、一括でステータス情報を更新する操作を受け付ける一括操作部を備えた、請求項１に記載の順番管理システム。
【請求項３】
順番待ちブロックに含まれる各順番待ち組に対し、一括で呼出または案内を行った際、呼出または案内に応じない順番待ち組があった場合には、次の順番のブロックから、代わりの順番待ち組を繰り上げる操作を受け付ける繰り上げ操作部を備えた、請求項２に記載の順番管理システム。
【請求項４】
順番待ちブロック数と１順番待ちブロックあたりの待ち時間である基準待ち時間に基づいて、現在の待ち時間を算出する待ち時間算出部を備えた、請求項１から３のいずれか１項に記載の順番管理システム。
【請求項５】
施設における順番待ちを管理する順番管理装置であって、
前記施設における順番待ちを、複数の順番待ち組を含む順番待ちブロックの単位で管理し、各順番待ちブロックに含まれる順番待ち組のステータス情報を有する順番待ちリストを保持する記憶部と、
前記更新情報に基づいて、前記順番待ちリストを更新する更新部と、を備えた順番管理装置。
【請求項６】
施設における順番待ちを管理するコンピュータを、
前記施設における順番待ちを、複数の順番待ち組を含む順番待ちブロックの単位で管理し、各順番待ちブロックに含まれる順番待ち組のステータス情報を有する順番待ちリストを保持する記憶部と、
前記更新情報に基づいて、前記順番待ちリストを更新する更新部と、して機能させるプログラム。
【発明の詳細な説明】
【技術分野】
【０００１】
本発明は、順番管理システム、順番管理装置、およびプログラムに関する。
【背景技術】
【０００２】
従来、レストランや銀行、役所等においては、そのサービスを待つ顧客の順番を整理するために、種々の順番管理システムが採用されている。
【０００３】
例えば、人気レストラン等においては、レストラン指定の予約用紙を用意し、そこに予約者の名前と人数を書くことで、顧客の順番管理を行っている（例えば特許文献１（特に、段落番号０００３〜０００７）参照）。
【先行技術文献】
【特許文献】
【０００４】
【特許文献１】特開２００４−９４３８０号公報
【発明の概要】
【発明が解決しようとする課題】
【０００５】
しかしながら、従来の順番管理システムは、予約者に対して受付け順に番号を発行し、１組ずつ順番に案内するシステムである。したがって、入浴施設や映画館などで採用されている入れ替え制のように、複数の組をブロック単位で案内する順番管理には対応できていなかった。
【０００６】
本発明は、以上説明した事情を鑑みてなされたものであり、入れ替え制のように、複数の組をブロック単位で案内する順番管理に対応することを目的の一つとする。
【課題を解決するための手段】
【０００７】
本発明の一実施形態に係る順番管理システムは、施設における順番待ちを管理する順番管理システムであって、前記施設における順番待ちを、複数の順番待ち組を含む順番待ちブロックの単位で管理し、各順番待ちブロックに含まれる順番待ち組のステータス情報を有する順番待ちリストを保持する記憶部と、前記順番待ちリストの更新情報の入力を受け付ける入力部と、前記更新情報に基づいて、前記順番待ちリストを更新する更新部とを備えたものである。
【０００８】
また、順番が到来した順番待ちブロックに含まれる各順番待ち組に対し、一括でステータス情報を更新する操作を受け付ける一括操作部を備えるようにしてもよい。
【０００９】
また、順番待ちブロックに含まれる各順番待ち組に対し、一括で呼出または案内を行った際、呼出または案内に応じない順番待ち組があった場合には、次の順番のブロックから、代わりの順番待ち組を繰り上げる操作を受け付ける繰り上げ操作部を備えるようにしてもよい。
【００１０】
また、順番待ちブロック数と１順番待ちブロックあたりの待ち時間である基準待ち時間に基づいて、現在の待ち時間を算出する待ち時間算出部を備えるようにしてもよい。
【発明の効果】
【００１１】
本発明によれば、複数の組をブロック単位で案内する順番管理に対応することができる。
【図面の簡単な説明】
【００１２】
【図１】第１実施形態に係る順番管理システム１０００の概略構成を示す図である。
【図２】順番管理端末１００の主要構成を示すブロック図である。
【図３】順番管理システム１０００における順番待ちの新規登録受付処理の流れを示すフローチャートである。
【図４】順番待ちの受付をするための受付画面を例示した図である。
【図５】順番管理システム１０００における順番待ちの状況の更新の流れを示すフローチャートである。
【図６】順番管理端末１００に表示させる、店舗モードの管理画面を例示した図である。
【図７】順番管理端末１００に表示させる、順番待ち状況の更新操作画面を例示した図である。
【図８】３台の順番管理端末１００Ａ〜１００Ｃを利用して順番管理を行う場合のシーケンス図である。
【発明を実施するための形態】
【００１３】
以下、本発明の実施形態について図面を参照しつつ詳細に説明する。なお、同一の要素には同一の符号を付し、重複する説明を省略する。
【００１４】
（第１実施形態）
図１は、本実施形態に係る順番管理システム１０００の概略構成を示す図である。同図に示すように、順番管理システム１０００は、サービスを提供する施設に設けられる順番管理端末１００と、順番管理端末１００に接続されたプリンタ２００と、通信ネットワークＮを介して順番管理端末１００を統括管理する管理サーバ３００とを備えて構成されている。
【００１５】
本実施形態では、ある入浴施設Ａが提供するサービスに関して、利用者の順番待ちを管理する場合を例に説明するが、これに限る趣旨ではなく、複合アミューズメントシステム、ショッピングモール、デパートなどの店舗や、映画館、病院や公共施設など、来訪者の順番待ちの管理を行うあらゆる施設に適用可能である。また、説明の便宜上、入浴施設Ａに設置された順番管理端末１００、店舗Ｂに設置された順番管理端末１００を図示しているが、多数の施設に設置される順番管理端末１００が管理サーバ３００によって管理されている。
【００１６】
順番管理端末１００は、施設の入り口付近などに設置され、来訪者が当該施設へ入場したり、サービスを受けたりする際の順番待ちを管理するための端末装置であり、タブレット端末などが利用される。サービスを提供する業者は、あらゆる業種・業態の業者が対象となる。順番管理端末１００は、タブレット端末に限らず、パーソナルコンピュータ（ＰＣ）、ノートＰＣ、スマートフォン、携帯電話機、携帯情報端末（ＰＤＡ）など、通信ネットワークＮを介して管理サーバ３００とデータの授受が可能なあらゆる端末装置を利用することができる。
【００１７】
プリンタ２００は、有線ケーブルまたは無線によって順番管理端末１００と接続され、順番待ちの数などをあらわす順番券やクーポンなどを発券する。
【００１８】
管理サーバ３００は、汎用的なコンピュータによって構成され、そのコンピュータにおいて所定のサーバ用プログラムが動作することにより、サーバ機能を実現するものである。ここで、管理サーバ３００を構成するコンピュータは、必ずしも１台である必要はなく、通信ネットワークＮ上に分散する複数のコンピュータから構成されてもよい。管理サーバ３００は、施設ごとに順番管理端末１００を管理するための管理データベース（記憶部）３１０と、プロセッサ（待ち時間算出部）３２０と、を備えている。管理データベース３１０は、クライアント管理テーブルＴＡ１と、ステータス管理テーブルＴＡ２を備えている。
【００１９】
クライアント管理テーブルＴＡ１には、施設ごとに固有のＩＤとパスコード（アカウント）が対応づけて登録されている。ここでは、「入浴施設Ａ」で利用される順番管理端末１００に対して「ＩＤ：Ａ１・・・」、「パスコード：ＡＡ２・・・」が設定されている。これら施設ごとのＩＤ及びパスコードは、例えば、システム導入の際に各施設で順番待ちの管理を行う管理者（例えば、店舗のオーナーなど）によって設定される。なお、本実施形態では、１施設で１台の順番管理端末１００を利用する場合を想定するが、１施設で複数の順番管理端末１００を利用しても良い。１施設で複数の順番管理端末１００を利用する場合には、同一のＩＤとパスコードを利用しても良いが、例えば所定の条件に従い、複数のＩＤとパスワードを使い分けるようにしてもよい。
【００２０】
ステータス管理テーブルＴＡ２には、各施設での順番待ちリストが登録されている。この順番待ちリストは、順番待ちをしている者（順番待ち組）の一覧と、各々の順番待ち組の待ち状況をあらわす情報（ステータス情報）が含まれる。順番待ちリストでは、複数の順番待ち組が１つの順番待ちブロックとして一括りで管理されている。１つの順番待ちブロックには、入れ替え制によって一度に案内される待ち組数（例えば５組）が含まれる。例えば入浴施設Ａについては、順番待ちリストの１レコードに、ブロック番号「１」、受付番号「１Ａ」、受付時刻は「１３：０３」、受付時に指定された人数は「３人」、ステータスは「待ち中」等の情報が含まれている。
【００２１】
ステータスには、順番到来前の状態である「待ち中」、順番が来たことを知らせた状態である「呼出中」、順番が来て実際に案内が済んだ状態である「案内済」、順番待ちをキャンセルした状態である「取消済」等が含まれる。ステータスとしてどのような項目を設定するかは各施設の管理者等が適宜設定および変更可能となっている。また、順番待ちリストに含める情報についても、各施設の管理者等が適宜設定および変更可能となっている。順番待ちリストの内容は、順番管理端末１００から送信される順番待ちリストへの新規登録情報、またはステータスの更新情報（詳細は後述）に基づいて更新される。
【００２２】
プロセッサ３２０は、算術演算、論理演算、ビット演算等を処理する算術論理演算ユニット（ＣＰＵなど）および各種レジスタから構成され、ＲＯＭ等の記憶手段に格納されている各種プログラムを実行することで管理サーバ３００の各部を中枢的に制御する。また、プロセッサ３２０は、順番管理端末１００と連携して順番待ちを管理するためのコンピュータプログラム（順番管理アプリケーション）も実行する。
【００２３】
通信ネットワークＮは、管理サーバ３００と順番管理端末１００との間で相互に情報を送受信可能な通信網を含む。通信ネットワークＮは、例えば、インターネット、ＬＡＮ、専用線、電話回線、企業内ネットワーク、移動体通信網、ブルートゥース、ＷｉＦｉ（Wireless Fidelity）、その他の通信回線、それらの組み合わせ等のいずれであってもよく、有線であるか無線であるかを問わない。
【００２４】
図２は、順番管理端末１００の主要構成を示すブロック図である。順番管理端末１００は、プロセッサ１１０と、入力装置（入力部、一括操作部、繰り上げ操作部）１１５と、表示装置１１６と、通信インタフェース１２０と、記憶資源１３０とを備える。順番管理端末１００は、利用者が直接タッチパネルなどの入力装置１１５を操作することで、順番待ちリストへの受付や消込み等の入力を受け付ける。ここで、利用者としては、来店者や従業者等が想定される。例えば、来店者は順番待ちリストに新たに順番待ちの登録をするための入力を行い、従業者等は順番待ちリストに登録されている情報のステータスを更新するための入力を行う。なお、ここでは、施設の管理者や従業者などを従業者等と総称する。
【００２５】
プロセッサ１１０は、算術演算、論理演算、ビット演算等を処理する算術論理演算ユニット（ＣＰＵなど）および各種レジスタから構成され、記憶資源１３０に格納されている各種プログラムを実行することで順番管理端末１００の各部を中枢的に制御する。各種レジスタは、例えば、プログラムカウンタ、データレジスタ、命令レジスタ、汎用レジスタ等である。
【００２６】
入力装置１１５は、順番待ちリストへの受付や順番待ちリストからの消込み等の入力を受け付けるための各種操作ボタンやタッチパネル１１５ａを備えている。
【００２７】
表示装置１１６は、順番待ちリストや受付ボタン等を含む受付画面や待受画面を表示するための装置であり、例えば液晶ディスプレイにより構成される。
【００２８】
通信インタフェース１２０は、通信ネットワークＮに接続し、通信ネットワークＮ上の他の端末と通信をするためのハードウェアモジュールである。通信インタフェース１２０は、例えば、ＩＳＤＮモデム、ＡＤＳＬモデム、ケーブルモデム、光モデム、ソフトモデム等の変調復調装置である。
【００２９】
記憶資源１３０は、例えば、物理デバイスの記憶領域が提供する論理デバイスである。物理デバイスは、例えば、ディスクドライブまたは半導体メモリ（ＲＯＭ、ＲＡＭなど）等のコンピュータ読み取り可能な記録媒体である。記憶資源１３０は、複数の物理デバイスを１つの論理デバイスにマッピングして構築してもよいし、１つの物理デバイスを複数の論理デバイスにマッピングして構築してもよい。
【００３０】
記憶資源１３０には、オペレーティングシステムプログラム、ドライバプログラム、各種データ等が格納される。ドライバプログラムとしては、例えば、通信インタフェース１２０を制御するための通信インタフェースドライバプログラム等がある。また、記憶資源１３０には、これら各種プログラムや各種データのほか、プロセッサ１１０が実行することにより、管理サーバ３００と連携して順番待ちを管理するためのコンピュータプログラム（順番管理アプリケーション）ＡＰ１が記憶されている。
【００３１】
次に、本実施形態における順番管理システム１０００の動作について説明する。
順番管理システム１０００の利用者としては、店舗への来店者や従業者等が想定される。来店者は、入浴施設Ａの入り口付近に設置された順番管理端末１００を操作して、順番待ちリストに新規の順番待ちを登録するための操作を行う。具体的には、表示装置１１６に表示されるメッセージに従ってタッチパネル１１５ａを適宜操作して、必要事項を入力する。受付の際にいかなる項目を入力対象とするかは、各施設の管理者等の意向に応じて決定することができる。
【００３２】
なお、来訪者が直接タッチパネル１１５ａを操作する代わりに、従業者等が入力を行ってもよい。このとき、従業者等は、施設の入り口付近に設置された順番管理端末１００を操作してもよいし、後述するように、従業者等が個別に使用する順番管理端末１００を操作してもよい。
【００３３】
なお、順番管理端末１００には、お客様モードと店舗モードが用意されており、これらのモードの間の切換操作は、施設の管理者や従業者など、施設のＩＤ、パスコードを知っている者がタッチパネル１１５ａを操作することによって行われる。お客様モードでは順番待ちの受付操作のみが可能であるが、店舗モードでは、順番待ちの受付操作の他に、順番待ちリストの更新操作や、業務記録の分析操作を行うことができる。
【００３４】
（順番待ちリストへの新規登録受付）
図３は、順番管理システム１０００における順番待ちの新規登録受付処理の流れを示すフローチャートである。
順番管理端末１００は通信インタフェース１２０を介して、管理サーバ３００からステータス管理テーブルＴＡ２に登録されている順番待ちリストに含まれる情報を受信する（ステップＳ１１）。
【００３５】
次に、順番管理端末１００は、図４に例示するような、順番待ちの受付をするための受付画面を表示装置１１６に表示させる（ステップＳ１２）。
【００３６】
図４は、順番管理端末１００の表示装置１１６に表示されるお客様モードの受付画面を例示した図である。図４に示すように、受付画面では、管理サーバ３００のステータス管理テーブルＴＡ２に登録されている順番待ちリストの少なくとも一部、例えば、順番待ちをしている者の受付番号とその人数が、受付をした順番に時系列に並べられた一覧が表示される。また、現在順番待ちをしている待ち組数も表示される。さらに、待ち時間の目安や、順番待ちリストへの受け付け操作を促すメッセージや受付ボタン等が表示装置１１６に表示される。
【００３７】
待ち時間の目安は、順番待ちリストで管理されている現在の待ちブロック数に、平均的な１ブロック当たりの待ち時間を掛けて算出した値などを用いることができる。なお、待ち時間の目安は、管理サーバ３００のプロセッサ３２０において計算し、順番管理端末１００に送信するようにしてもよいし、順番管理端末１００において算出するようにしてもよい。なお、受付画面に表示される項目は、各施設の管理者等の意向に応じて決定することができる。
【００３８】
順番管理端末１００は、表示された受付画面に対して、来訪者や従業者等によるタッチパネル１１５ａなどの入力装置１１５を介した操作入力が行われたか否かを検知する（ステップＳ１３）。例えば、タッチパネル１１５ａへの操作が検知され、入力が受け付けられると（ステップＳ１３：ＹＥＳ）、順番待ちをする人数を指定するための人数指定画面を表示装置１１６に表示させる（ステップＳ１４）。人数指定画面には、人数の入力操作を促すメッセージや、人数指定ボタン等が表示される。
【００３９】
順番管理端末１００は、表示された人数指定画面に対して、来訪者や従業者等の入力装置１１５を介した操作入力が行われたか否かを検知する（ステップＳ１５）。タッチパネル１１５ａへの操作が検知され、人数の入力が受け付けられると（ステップＳ１５：ＹＥＳ）、
予約内容確認画面を表示装置１１６に表示させる（ステップＳ１６）。予約内容確認画面には、予約人数や予約内容の確認を促すメッセージや、予約確定操作を促すメッセージ、および予約確定ボタン等が表示される。また、順番が到来した際に、呼出を行うための連絡先（メールアドレスや電話番号）の登録操作を行ってもらうようにしてもよい。
【００４０】
順番管理端末１００は、予約完了操作が行われたか否かを検知する（ステップＳ１７）。予約完了操作が受け付けられると（ステップＳ１７：ＹＥＳ）、受付完了画面を表示させる（ステップＳ１８）。受付完了画面には、受付番号（待ち番号）や、現時点での待ち時間等が表示される。また、順番券を受け取るよう促すメッセージが表示され、利用者は、順番管理端末１００に接続されたプリンタ２００から印刷される順番券を受け取ることができる。順番券には、受付番号などが印字される。
【００４１】
確定した新規登録情報は、順番管理端末１００から通信ネットワークＮを介して管理サーバ３００に送信される（ステップＳ１９）。管理サーバ３００は、ある施設（ここでは、入浴施設Ａ）から新規登録情報を受信すると、受信した新規登録情報に基づいて、順番待ちリストにレコードを１組新たに追加すると共に、追加したレコードを順番待ちブロックに入れる処理を行い、ステータス管理テーブルＴＡ２を更新する（ステップＳ２０）。管理サーバ３００は、１つのブロックに所定の数の順番待ち組（ここでは５組）が含まれるように、各ブロックが構成される。管理サーバ３００は、順番待ちリストに登録された順番が早い順番待ち組から順に、各順番待ちブロックへ入れていく。また、１つのブロックに含まれる人数が所定の範囲（例えば７人〜１５人）になるようにブロックを構成してもよい。この場合には、順番待ちの新規登録時に利用人数を入力してもらい、各ブロックに含まれる人数が所定の範囲になるように、各ブロックに含まれる順番待ち組数を調整する。
【００４２】
（順番待ちリストの更新）
各施設の順番待ちリストの更新は、新規登録受付以外に、従業者等によって登録済みの順番待ちに対し、「取消」、「変更」、「呼出」、「案内」のいずれかの操作が行われた際にも発生する。「取消」は、順番待ちをキャンセルすることを意味し、「変更」は、いったん入力された順番待ちの内容を変更することを意味する。また、「呼出」は、順番が来た者を口頭で呼出したり、電話やメールなどで知らせた状態であることを意味し、「案内」は、順番が来た者を実際に案内し対応が完了したことを意味する。本実施形態では、「呼出」および「案内」の操作は、順番待ちブロック単位で一括して行うことができる。例えば、あるブロックを指定して「一括呼出」の操作を行うと、そのブロックに含まれるすべての順番待ち組のステータスが更新され「呼出中」となる。
【００４３】
図５は、順番管理システム１０００における順番待ちの状況（ステータス）の更新の流れを示すフローチャートである。まず、従業者等は、順番管理端末１００のタッチパネル１１５ａを操作して順番管理端末１００を店舗モードに設定し、表示装置１１６に店舗モードのステータス管理画面を表示させる（ステップＳ３１）。
【００４４】
図６は、店舗モードのステータス管理画面を例示した図である。図６に示すように、ステータス管理画面には、順番待ちリストに登録されている順番待ち組のステータス情報が受付をした順番に表示される。具体的には、順番待ちブロックごとに、ブロックの「識別番号」、ブロックに含まれる順番待ち組の「受付番号」、「人数」、「ステータス」等が表示される。
【００４５】
従業者等は、ステータス管理画面において表示された順番待ちリストの中から、順番待ち状況の更新対象（例えば順番待ちブロック「１」）を特定し、その対象が表示されているボタンをタップする（ステップＳ３２）。この結果、図７に示すような順番待ち状況の更新操作画面が表示される。
【００４６】
順番待ち状況の更新操作画面では、順番待ち状況の更新操作として、「一括呼出」、「一括案内」の選択が可能となっている。なお、さらに特定の順番待ち組（例えば「１Ａ」）の行をスワイプすると、指定した順番待ち組に対して「呼出」、「案内」、「取消」、「変更」のいずれかの操作を行うための操作ボタンが表示される。
【００４７】
従業者等は、所望の操作ボタンＢＧ（例えば「一括案内」）をタップすることで、ステータスの更新操作を行う（ステップＳ３３）。かかる操作がなされると、ステータスの更新指示をあらわすステータスの更新情報が、順番管理端末１００から通信ネットワークＮを介して管理サーバ３００にアップロードされる（ステップＳ３４）。ステータスの更新情報には、更新対象のレコードを特定する情報と（例えばブロック「１」）、更新操作内容（例えば「一括案内」）が含まれる。
【００４８】
管理サーバ３００は、受信したステータスの更新情報に基づき、当該施設の順番待ちリストを更新する（ステップＳ３５）。例えば、ブロック「１」に対して「一括案内」操作を行った場合には、ブロック「１」に属する順番待ち組（「１Ａ」、「１Ｂ」、「１Ｃ」、「１Ｄ」、「１Ｅ」）のステータスが「案内済」に更新される。
【００４９】
（順番待ちの繰り上げ）
順番待ちブロックに対する一括操作（「一括呼出」、「一括案内」）を行った際、順番待ち組の中で呼出や案内に応じない組があった場合には、次に順番が到来する予定のブロックの中から、代わりの順番待ち組を移すようにしてもよい。具体的には、順番が到来したブロック（ブロック「１」）に属する順番待ち組を呼出した際、１つの順番待ち組（受付番号「１Ｅ」）が呼出しに応じなかった場合には、従業者は、順番管理端末１００を操作して、「繰り上げ」操作を行う。「繰り上げ」操作は、例えば図７に示すような「繰り上げ」操作ボタンをタップすることにより行う。
【００５０】
繰り上げ操作が行われると、繰り上げ操作情報が管理サーバ３００に送信される。繰り上げ操作情報には、対象となるブロックの情報（例えばブロック「１」）と、繰り上げる順番待ち組の数（例えば「１」）の情報が含まれる。管理サーバ３００は、繰り上げ操作情報を受信すると、対象ブロックの次の順番のブロックから、指定された数の順番待ち組（例えば受付番号「２Ａ」の順番待ち組）を選択し、選択した順番待ち組を対象ブロックに移す処理を行う。これにより、順番待ちリストの情報が更新され、例えば受付番号「２Ａ」の組は、ブロック「１」に属するようになり、ステータスが「呼出中」になる。ブロック「１」に移った順番待ち組「２Ａ」は呼出を受け、ブロック「１」の他の順番待ち組と共に案内される。移動させる順番待ち組の選び方は、例えば、次の順番のブロックの中で最も早く登録された組を選ぶようにしてもよい。また、呼出に応じなかった組の人数以下の人数の組を選択するようにしてもよい。これにより、ブロック全体の人数を増やさないようにすることができる。なお、「一括案内」についても同様に、繰り上げ操作を行うことができる。
【００５１】
（施設内の複数の順番管理端末間での同期）
本実施形態では１施設で１台の順番管理端末１００を利用する場合を想定しているが、上述したように、１施設で複数の順番管理端末１００を利用してもよい。１施設で複数台の順番管理端末を利用する場合には、各順番管理端末間でデータが共有される。図８は、３台の順番管理端末１００Ａ〜１００Ｃを利用して順番管理を行う場合のシーケンス図である。たとえば、入浴施設Ａにおいて順番管理端末１００Ａが操作されると（Ｃ１）、その操作内容（ここでは、ステータスの更新情報を想定）は管理サーバ３００にアップロードされる（Ｃ２）。管理サーバ３００は、受信したステータスの更新情報に基づき、ステータス管理テーブルＴＡ２に登録されている入浴施設Ａのステータス情報を更新する（Ｃ３）。入浴施設Ａで利用されている順番管理端末１００Ａ以外の端末、すなわち順番管理端末１００Ｂ及び１００Ｃは、施設ごとに固有のアカウントをキーとして、ステータス管理テーブルＴＡ２に登録されているステータス情報の問い合わせを行う（Ｃ４）。管理サーバ３００は、順番管理端末１００Ｂ及び１００Ｃに対してアップデートされた最新のステータス情報を送信し（Ｃ５）、処理を終了する。これにより、入浴施設Ａで利用されている全ての順番管理端末１００Ａ〜１００Ｃで、アップデートされた最新のステータス情報が共有される。
【００５２】
この結果、最新の情報が、常に同期した状態で各順番管理端末１００に反映され、これにより、１施設で複数台の順番管理端末１００を利用する場合であっても、順番待ちの更新情報が一部の順番管理端末１００において反映されない等の不具合を生ずることなく、最適な順番待ち管理を行うことが可能となる。
【００５３】
以上のように、本実施形態によれば、順番待ちに登録された順番待ち組をブロック単位で管理するようにしたので、入れ替え制のように、複数の組をブロック単位で案内する順番管理に対応することができる。
【００５４】
また、登録されている順番待ち組に対し、ブロック単位で呼出操作や案内操作を行うと、一括でステータスが更新されるようにしたので、ブロック単位での呼出や案内を効率よく行うことができる。
【００５５】
また、ブロック単位での呼出や案内に応じない順番待ち組がある場合には、次の順番のブロックから代わりの順番待ち組を移す操作を行えるようにしたので、あるブロックの人数が極端に少なくなることを防ぐことが可能になり、効率よくサービスを提供することができる。
【００５６】
なお、本発明は、上述した実施形態に限定されるものではなく、本発明の要旨を逸脱しない範囲内において、他の様々な形で実施することができる。このため、上記実施形態はあらゆる点で単なる例示にすぎず、限定的に解釈されるものではない。例えば、上述した各処理ステップは処理内容に矛盾を生じない範囲で任意に順番を変更し、または並列に実行することができる。
【符号の説明】
【００５７】
１０００、１０００’…順番管理システム
１００、１００Ａ、１００Ｂ、１００Ｃ…順番管理端末
２００…プリンタ
３００…管理サーバ
３１０…
ＴＡ１…クライアント管理テーブル
ＴＡ２…ステータス管理テーブル
Ｎ…通信ネットワーク
１１０…プロセッサ
１１５…入力装置
１１５ａ…タッチパネル
１２０…通信インタフェース
１３０…記憶資源
ＡＰ１…順番管理アプリケーション
【図１】
2017138657.tif 000003
【図２】
2017138657.tif 000004
【図３】
2017138657.tif 000005
【図４】
2017138657.tif 000006
【図５】
2017138657.tif 000007
【図６】
2017138657.tif 000008
【図７】
2017138657.tif 000009
【図８】
2017138657.tif 000010
【手続補正書】
【提出日】平成28年7月12日(2016.7.12)
【手続補正１】
【補正対象書類名】特許請求の範囲
【補正対象項目名】全文
【補正方法】変更
【補正の内容】
【特許請求の範囲】
【請求項１】
施設における順番待ちを管理する順番管理システムであって、
前記施設における順番待ちを、複数の順番待ち組を含む順番待ちブロックの単位で管理し、各順番待ちブロックに含まれる順番待ち組のステータス情報を有する順番待ちリストを保持する記憶部と、
前記施設における順番待ちの新規登録情報を受信したら、新たな順番待ち組のステータス情報を前記順番待ちリストに登録すると共に、１つの順番待ちブロックに所定の数の順番待ち組が含まれるように、順番待ちリストに登録された順番が早い順番待ち組から順に、順番待ちブロックに入れていく処理を行う順番待ちブロック構成部と、
前記順番待ちリストの更新情報の入力を受け付ける入力部と、
前記更新情報に基づいて、前記順番待ちリストを更新する更新部と、を備えた順番管理システム。
【請求項２】
順番が到来した順番待ちブロックに含まれる各順番待ち組に対し、一括でステータス情報を更新する操作を受け付ける一括操作部を備えた、請求項１に記載の順番管理システム。
【請求項３】
順番待ちブロックに含まれる各順番待ち組に対し、一括で呼出または案内を行った際、呼出または案内に応じない順番待ち組があった場合には、次の順番のブロックから、代わりの順番待ち組を繰り上げる操作を受け付ける繰り上げ操作部を備えた、請求項２に記載の順番管理システム。
【請求項４】
順番待ちブロック数と１順番待ちブロックあたりの待ち時間である基準待ち時間に基づいて、現在の待ち時間を算出する待ち時間算出部を備えた、請求項１から３のいずれか１項に記載の順番管理システム。
【請求項５】
前記順番待ちの新規登録情報には、順番待ち組に含まれる人数の情報が含まれ、
前記順番待ちブロック構成部は、１つの順番待ちブロックに含まれる人数が所定の人数以下になるように、各ブロックに含まれる順番待ち組数を調整する、請求項１から４のいずれか１項に記載の順番管理システム。
【請求項６】
施設における順番待ちを管理する順番管理装置であって、
前記施設における順番待ちを、複数の順番待ち組を含む順番待ちブロックの単位で管理し、各順番待ちブロックに含まれる順番待ち組のステータス情報を有する順番待ちリストを保持する記憶部と、
前記施設における順番待ちの新規登録情報を受信したら、新たな順番待ち組のステータス情報を前記順番待ちリストに登録すると共に、１つの順番待ちブロックに所定の数の順番待ち組が含まれるように、順番待ちリストに登録された順番が早い順番待ち組から順に、順番待ちブロックに入れていく処理を行う順番待ちブロック構成部と、
前記順番待ちリストの更新情報に基づいて、前記順番待ちリストを更新する更新部と、を備えた順番管理装置。
【請求項７】
施設における順番待ちを管理するコンピュータを、
前記施設における順番待ちを、複数の順番待ち組を含む順番待ちブロックの単位で管理し、各順番待ちブロックに含まれる順番待ち組のステータス情報を有する順番待ちリストを保持する記憶部と、
前記施設における順番待ちの新規登録情報を受信したら、新たな順番待ち組のステータス情報を前記順番待ちリストに登録すると共に、１つの順番待ちブロックに所定の数の順番待ち組が含まれるように、順番待ちリストに登録された順番が早い順番待ち組から順に、順番待ちブロックに入れていく処理を行う順番待ちブロック構成部と、
前記順番待ちリストの更新情報に基づいて、前記順番待ちリストを更新する更新部と、して機能させるプログラム。
【手続補正書】
【提出日】平成28年12月2日(2016.12.2)
【手続補正１】
【補正対象書類名】特許請求の範囲
【補正対象項目名】全文
【補正方法】変更
【補正の内容】
【特許請求の範囲】
【請求項１】
施設における順番待ちを管理する順番管理システムであって、
前記施設における順番待ちを、複数の順番待ち組を含む順番待ちブロックの単位で管理し、各順番待ちブロックに含まれる順番待ち組のステータス情報を有する順番待ちリストを保持する記憶部と、
前記施設における順番待ちの新規登録情報を受信したら、新たな順番待ち組のステータス情報を前記順番待ちリストに登録すると共に、１つの順番待ちブロックに所定の数の順番待ち組が含まれるように、順番待ちリストに登録された順番が早い順番待ち組から順に、順番待ちブロックに入れていく処理を行い、新たに登録した順番待ち組に、受付番号と所属するブロックを特定する識別番号を付与する、順番待ちブロック構成部と、
前記順番待ちリストの更新情報の入力を受け付ける入力部と、
前記更新情報に基づいて、前記順番待ちリストを更新する更新部と、を備え、
前記順番待ちの新規登録情報には、順番待ち組に含まれる人数の情報が含まれ、
前記順番待ちブロック構成部は、１つの順番待ちブロックに含まれる人数が所定の人数以下になるように、各ブロックに含まれる順番待ち組数を調整する、順番管理システム。
【請求項２】
順番が到来した順番待ちブロックに含まれる各順番待ち組に対し、一括でステータス情報を更新する操作を受け付ける一括操作部を備えた、請求項１に記載の順番管理システム。
【請求項３】
順番待ちブロックに含まれる各順番待ち組に対し、一括で呼出または案内を行った際、呼出または案内に応じない順番待ち組があった場合には、次の順番のブロックから、代わりの順番待ち組を繰り上げる操作を受け付ける繰り上げ操作部を備えた、請求項２に記載の順番管理システム。
【請求項４】
順番待ちブロック数と１順番待ちブロックあたりの待ち時間である基準待ち時間に基づいて、現在の待ち時間を算出する待ち時間算出部を備えた、請求項１から３のいずれか１項に記載の順番管理システム。
【請求項５】
施設における順番待ちを管理する順番管理装置であって、
前記施設における順番待ちを、複数の順番待ち組を含む順番待ちブロックの単位で管理し、各順番待ちブロックに含まれる順番待ち組のステータス情報を有する順番待ちリストを保持する記憶部と、
前記施設における順番待ちの新規登録情報を受信したら、新たな順番待ち組のステータス情報を前記順番待ちリストに登録すると共に、１つの順番待ちブロックに所定の数の順番待ち組が含まれるように、順番待ちリストに登録された順番が早い順番待ち組から順に、順番待ちブロックに入れていく処理を行い、新たに登録した順番待ち組に、受付番号と所属するブロックを特定する識別番号を付与する、順番待ちブロック構成部と、
前記順番待ちリストの更新情報に基づいて、前記順番待ちリストを更新する更新部と、を備え、
前記順番待ちの新規登録情報には、順番待ち組に含まれる人数の情報が含まれ、
前記順番待ちブロック構成部は、１つの順番待ちブロックに含まれる人数が所定の人数以下になるように、各ブロックに含まれる順番待ち組数を調整する、順番管理装置。
【請求項６】
施設における順番待ちを管理するコンピュータを、
前記施設における順番待ちを、複数の順番待ち組を含む順番待ちブロックの単位で管理し、各順番待ちブロックに含まれる順番待ち組のステータス情報を有する順番待ちリストを保持する記憶部と、
前記施設における順番待ちの新規登録情報を受信したら、新たな順番待ち組のステータス情報を前記順番待ちリストに登録すると共に、１つの順番待ちブロックに所定の数の順番待ち組が含まれるように、順番待ちリストに登録された順番が早い順番待ち組から順に、順番待ちブロックに入れていく処理を行い、新たに登録した順番待ち組に、受付番号と所属するブロックを特定する識別番号を付与する、順番待ちブロック構成部と、
前記順番待ちリストの更新情報に基づいて、前記順番待ちリストを更新する更新部と、して機能させ、
前記順番待ちの新規登録情報には、順番待ち組に含まれる人数の情報が含まれ、
前記順番待ちブロック構成部は、１つの順番待ちブロックに含まれる人数が所定の人数以下になるように、各ブロックに含まれる順番待ち組数を調整する、プログラム。